(57)【要約】【課題】掃除機本体に着脱自在なスティックの取扱いが容易であって、かつ、スティックを掃除機本体に保持した状態で使用可能な電気掃除機を提供することにある。【解決手段】吸込み口体３に対し起倒自在に接続された掃除機本体２が本体ハンドル２ｃを有し、掃除機本体２にこの掃除機本体２の上方に延びて着脱自在に取付けられるスティック４を備えた電気掃除機１を前提とする。掃除機本体２から外されたスティックを掃除機本体２の長手方向に沿わせて着脱自在に保持するスティック受け台（スティック保持部）１３及びスティックホルダ（スティック保持部）１４を掃除機本体２の外面に設ける。【選択図】      図１
2005211275.tif 000002
【特許請求の範囲】
【請求項１】
吸込みヘッド及びこのヘッドに起倒自在に取付けられた接続管を有する吸込み口体と、
本体ハンドルを有して前記接続管に接続された掃除機本体と、
この掃除機本体に上方に延びて着脱自在に取付けられるスティックと、
前記掃除機本体の外面に設けられ前記掃除機本体から外された前記スティックを前記掃除機本体の長手方向に沿わせて着脱自在に保持するスティック保持部と、
を備える電気掃除機。
【請求項２】
請求項１に記載の電気掃除機において、前記掃除機本体が、電動送風機を内蔵した本体主部と、この本体主部の背面に連続して設けられ、前記本体主部より幅が狭くかつ前記本体主部よりも長いとともに下端部が前記接続管と接続した本体柱部とを有し、前記スティック保持部が前記本体柱部に設けられている。
【請求項３】
請求項１又は２に記載の電気掃除機において、前記スティックが外方に突出するコードフックを有し、前記スティック保持部が前記コードフックを着脱可能に保持するスティックホルダを備えている。
【請求項４】
請求項１又は２に記載の電気掃除機において、前記スティックがコードフックを有し、このコードフックが、平面視略Ｌ形状の一対のフック部を向かい合わせてこれらフック部相互間に互いに連通するコード出入り間隙及びこの間隙より幅が広いホルダ挿通間隙を夫々設けて形成されており、前記スティック保持部が、前記掃除機本体の外面から突出した根元部及びこの根元部の先端から上向きに突出した引掛け部からなるスティックホルダを備えており、このホルダの幅が前記コード出入り間隙の幅より広くかつ前記ホルダ挿通間隙の幅より狭く形成されている。
【請求項５】
請求項１又は２に記載の電気掃除機において、前記スティックがコードフックを有し、このコードフックが、平面視略Ｌ形状の一対のフック部を向かい合わせてこれらフック部相互間に互いに連通するコード出入り間隙及びこの間隙より幅が広いコード挿通間隙を夫々設けて形成されており、前記スティック保持部が、前記コードフックが上方から挿脱可能な嵌合穴、この嵌合穴の上部と連通するコード挿通間隙を相互間に設けて相対向する一対のフック受け壁、及びこれらフック受け壁の下方に前記コード挿通間隙と前記嵌合穴の下部とに夫々連通して設けられた下部コード挿通開口を有して形成されている。
【発明の詳細な説明】
【技術分野】
【０００１】
本発明は、掃除機本体に着脱自在に取付けられるスティックを備えた電気掃除機に関する。
【背景技術】
【０００２】
従来、吸込み口体に対して起倒自在に接続されるとともにハンディ形として使用可能な掃除機本体に、この本体を押し引きするために用いられるスティックを着脱自在に取付けたスティック形電気掃除機が知られている（例えば、特許文献１参照。）。この特許文献１の電気掃除機はスティックを掃除機本体から取外して電気掃除機を格納できるので、電気掃除機の格納上有利である。
【特許文献１】特開２０００−１１６５７５号公報（段落０００９−００１０、００１４−００１５、図１、図４）
【発明の開示】
【発明が解決しようとする課題】
【０００３】
特許文献１の技術では、掃除機本体から取外されたスティックの保管については記載がない。吸込み口体及びこれに接続された掃除機本体とこの掃除機本体から外されたスティックとが、互いにばらばらに格納される構成では、これらを格納場所に出し入れするのに別々の手間を要して不便である。又、始めにハンディ形として使用している状態からスティック形としての使用に切換えるには、格納場所に置かれているスティックを取りに行かなければならない。同様に、スティック形として使用している状態からハンディ形としての使用に切換える場合には、通常、切換えを行った場所に外されたスティックが放置されるので、掃除終了後には、吸込み口体及びこれに接続された掃除機本体と、スティックとを別々に格納場所に持ち込まなければならず不便である。
【０００４】
本発明の目的は、掃除機本体に着脱自在なスティックの取扱いが容易であって、かつ、スティックを掃除機本体に保持した状態で使用可能な電気掃除機を提供することにある。
【課題を解決するための手段】
【０００５】
本発明は、前記課題を解決するために、本体ハンドルを有して吸込み口体に対し起倒自在に接続された掃除機本体に、この掃除機本体の上方に延びて着脱自在に取付けられるスティックを備えた電気掃除機であって、掃除機本体から外されたスティックを掃除機本体の長手方向に沿わせて着脱自在に保持するスティック保持部を掃除機本体の外面に設けている。
【０００６】
本発明では、掃除機本体外面のスティック保持部を用いて、掃除機本体から外されたスティックを掃除機本体の長手方向に沿わせてスティックを保持できる。これにより、スティックを掃除機本体の外面に保持した状態で本体ハンドルを握った形態での掃除が可能であるとともに、格納場所への電気掃除機の出し入れの際に、掃除機本体から外されたスティックを、掃除機本体の外面に沿って保持させて、この掃除機本体と一緒に出し入れできる。
【発明の効果】
【０００７】
本発明によれば、掃除機本体から取外されたスティックを掃除機本体の外面に長手方向に沿わせて着脱自在に保持できるので、格納の際や掃除の際などにおけるスティックの取扱いが容易であって、かつ、掃除機本体にスティックを保持した状態で使用可能な電気掃除機を提供できる。
【発明を実施するための最良の形態】
【０００８】
図１〜図６を参照して本発明の第１実施形態を説明する。
【０００９】
図１〜図３中符号１はスティック形の電気掃除機を示している。この電気掃除機１は、掃除機本体２と、吸込み口体３と、スティック４と、ダストカップ５とを備えている。
【００１０】
掃除機本体２は、例えば略円筒状をなす本体主部２ａと、この本体主部２ａの軸方向に延びて本体主部２ａの背面に設けられた本体柱部２ｂと、本体ハンドル２ｃとを有している。これら本体主部２ａ、本体柱部２ｂ、及び本体ハンドル２ｃは、本体ケースをなしている。この本体ケースは一体に成形された複数の本体ケース部材を組み合わせてなる。
【００１１】
本体主部２ａには、電動送風機及びコードリール等（いずれも図示しない）が内蔵されている。本体主部２ａの下面には、電動送風機の運転時に吸気負圧が作用する円形状の吸気部、及びこの吸気部を囲むカップ取付け用の環状の突部（いずれも図示しない）が設けられている。なお、図３中符号６は電源コードを示しており、又、図１及び図２中符号７は、電動送風機をオン・オフするスイッチを示し、本体主部２ａの上部に設けられている。
【００１２】
本体柱部２ｂの幅は本体主部２ａより幅が狭く、本体柱部２ｂの長さは本体主部２ａより長い。この本体柱部２ｂの下部は本体主部２ａの下面より下方に突出されている。本体柱部２ｂの下端部正面にはカップ支え部（図示しない）が突設されている。本体柱部２ｂの下部は、中空であって、吸塵風路をなしている。この吸塵風路は、本体主部２ａの下面からやや下がった高さ位置において、本体主部２ａの正面に開放する風路出口（図示しない）を有している。
【００１３】
ダストカップ５は、その上端開口部を前記環状突部の外周に気密に嵌合させるとともに下端背面部を前記カップ支え部上に支持させて、掃除機本体２に着脱自在に取付けられている。ダストカップ５は、その上部背面に前記風路出口に気密に接続する入口（図示しない）を有している。ダストカップ５の上部にはフィルター付きのサイクロンケースが着脱自在に嵌め込まれている。サイクロンケースは、前記入口から導入された含塵空気をダストカップ５内で旋回させるためのものであり、旋回に伴う遠心分離作用によって空気と塵とがダストカップ５内で分離される。空気から離された塵はダストカップ５内の下部に溜められ、塵から分離された空気は前記フィルターを通って本体主部２ａ内に吸込まれ掃除機本体２内の電動送風機に吸込まれる。
【００１４】
本体柱部２ｂの上部には、電動送風機の排気が流出する多数の孔からなる排気部１１（図３参照）が設けられている。排気部１１は、本体柱部２ｂ内に設けられている仕切り壁（図示しない）により本体柱部２ｂの吸塵風路と仕切られて、電動送風機の排気側に連通している。
【００１５】
図１及び図２等に示すように掃除機本体２の外面、好ましくは本体柱部２ｂの外面、より好ましくは本体柱部２ｂの側面には、スティック保持部として機能するスティック受け台１３及びスティックホルダ１４が設けられている。スティック受け台１３は本体柱部２ｂの下端部側面に突設されている。このスティック受け台１３は、上面が開放するとともに底壁を有した短い円筒状をなしている。スティックホルダ１４はスティック受け台１３の上方例えば本体柱部２ｂの中間部側面に突設されている。スティックホルダ１４はＣの字状のパイプ嵌合部を有している。この嵌合部の内径はスティック４の後述するパイプ４ｂの直径よりやや大きいが、パイプ嵌合部の入口１４ａ（図１参照）の広さは前記パイプ４ｂの直径より狭い。パイプ嵌合部はその入口１４ａが広げるように弾性変形ができるように作られている。
【００１６】
図１〜図３に示すように吸込み口体３は、平面視略Ｔ字状の吸込みヘッド１５と、一対のローラ１６と、接続管１７とを備えている。吸込みヘッド１５の前部下面には、左右方向（幅方向）に延びる吸込み開口（図示しない）が設けられている。吸込みヘッド１５の前部には、吸込み開口に臨んで回転清掃体（図示しない）が内蔵されている。この回転清掃体は吸塵力によって回転される。吸込み口体３が被掃除面に沿って移動される際に回転されるローラ１６は、吸込みヘッド１５の前部中央から後方に延びる後方突出部１５ａの両側に回転自在に取付けられている。接続管１７は起倒できるように後方突出部１５ａに回転自在に取付けられている。この接続管１７の自由端部は本体柱部２ｂの下端部に接続されていて、この接続により吸込みヘッド１５内と掃除機本体２の吸塵風路とが連通されている。したがって、前記吸込み開口から吸込みヘッド１５に吸込まれた含塵空気は、接続管１７を通って本体柱部２ｂ内の吸塵風路に導かれる。
【００１７】
掃除の際に、吸込みヘッド１５に対して接続管１７とともに掃除機本体２を上下方向に回転させることにより、図１及び図２中２点鎖線に例示するように被掃除面に沿った吸込みヘッド１５に対して掃除機本体２を任意角度に傾けることができる。又、電気掃除機１を格納する際等には接続管１７が起きるように回転される。これにより、図１及び図２中実線に示すように接続管１７とともに掃除機本体２を吸込みヘッド１５上に自立させた状態に保持できる。
【００１８】
図１〜図３に示すように本体ハンドル２ｃは本体主部２ａの上部に設けられている。本体ハンドル２ｃは、例えば第１の基部２１と、第２の基部２２と、握り部２３とで形成されている。
【００１９】
第１の基部２１は、好ましい例としてスティック接続部を兼ねて、本体主部２ａの正面側上部に位置しかつ上方に突出して一体に設けられている。この第１の基部２１は、本体主部２ａより小径でかつ片手で掴める程度の太さの円柱状をなしている。第２の基部２２は第１の基部２１と略平行に延びた本体柱部２ｂの上方延出部からなる。握り部２３は、第１の基部２１の上端と第２の基部２２の上端にわたってこれらと一体に設けられている。なお、第１の基部２１とスティック接続部とは別々に設けてもよい。
【００２０】
第１の基部２１がスティック接続部を兼ねている関係で、図４に示すように第１の基部２１は、その軸方向に延びて上端が開放された円筒からなるスティック取付け筒２５を有している。スティック取付け筒２５はスティック挿入穴として機能するもので、底壁２５ａを有している。このスティック取付け筒２５の高さ方向中間部にはロック孔２６が開けられている。スティック取付け筒２５は、第１の基部２１と一体、つまり掃除機本体２と一体に成形することもできるが、本実施形態のように掃除機本体２とは別体の筒を第１の基部２１に取付けた構成では、掃除機本体２の成形材料の制約を受けることなく、スティック４を安定して取付け保持するのに必要な強度を有したスティック取付け筒２５を用いることができる点で好ましい。
【００２１】
図５等に示すようにスティック４は、一端部が挿入端部４ａとして利用される円筒形の金属製例えば軽量なアルミニューム合金製のパイプ４ｂと、このパイプ４ｂの他端部に装着されたパイプ状の合成樹脂製のグリップ４ｃとを備えている。
【００２２】
挿入端部４ａはスティック取付け筒２５及びスティック受け台１３に挿脱される部分である。図４に示すように挿入端部４ａには、ロック部材２７とその付勢体２８とが夫々設けられている。ロック部材２７は、挿入端部４ａの周壁を貫通して挿入端部４ａの径方向に移動可能であって、その移動によりロック孔２６に係脱される。付勢体２８は、例えば板ばねからなり、挿入端部４ａに内蔵されてロック部材２７と連結されている。この付勢体２８はロック部材２７を挿入端部４ａ外に突出する方向に付勢している。
【００２３】
ロック孔２６と、ロック部材２７と、付勢体２８とは、ロック手段２９を形成している。このロック手段２９により、挿入端部４ａが所定の深さまでスティック取付け筒２５に挿入されることに伴って、ロック孔２６に適正に対向したロック部材２７が、付勢体２８の付勢力でロック孔２６に挿入された状態が保持される。これにより、スティック接続部である第１の基部２１に挿入されたスティック４の挿入端部４ａが抜け止めされて、図１に示すように掃除機本体２にこの本体２の上方に延びてスティック４が取付けられる。
【００２４】
なお、図４中符号２５ｂはロック部材２７を導くガイド溝を示している。このガイド溝２５ｂはロック孔２６の上方に設けられ、呼び込み部として機能するように斜状をなして広げられている。更に、図４及び図５中符号３０は挿入端部４ａの外周に被着された振れ止めリングを示している。振れ止めリング３０はテーパ部を有し、このテーパ部がスティック取付け筒２５のテーパ状上端開口に嵌り込むことによって、第１の基部２１に挿入して取付けられたスティック４が掃除機本体２に対してがたつくことを抑制している。
【００２５】
又、図１〜図３、及び図５中符号３１はスティック４の軸方向中間部に被着されたストッパを示している。このストッパ３１は、スティック接続部である第１の基部２１から取外したスティック４を、スティック受け台１３及びスティックホルダ１４に着脱可能に支持させて本体柱部２ｂの側面に保持した場合に、図２に示すようにスティックホルダ１４の下側に近接して配置される。この配置によって、本体柱部２ｂの側面に保持されたスティック４が吸込み口体３から離れる方向に引っ張られた際に、スティックホルダ１４にストッパ３１が当って、スティック４が引き外されることを防止できる。
【００２６】
図５及び図６に示すようにスティック４のグリップ４ｃにはコードフック３２が一体に設けられている。このコードフック３２は平面視略Ｌ字形状の一対のフック部３３を向かい合わせて形成されている。詳しくは、図６に示すように一対のフック部３３は、スティック４の軸方向に延びる壁板部３３ａ及びこの壁板部３３ａから折れ曲がった曲げ片部３３ｂからなり、本実施形態の場合、壁板部３３ａがグリップ４ｃの外面に一体に突設されている。これらのフック部３３は、その曲げ片部３３ｂが互いに近付くように向かい合わされており、曲げ片部３３ｂ相互間にはコード出入り間隙Ａが形成されている。このコード出入り間隙Ａの最小幅は電源コード６の幅より広い。一対のフック部３３の相対向する壁板部３３ａ相互間には電源コード６がスティック４の軸方向に挿通されるコード挿通間隙Ｂが形成されている。このコード挿通間隙Ｂはコード出入り間隙Ａより幅が広く、このコード挿通間隙Ｂの中央部にコード出入り間隙Ａが連通されている。
【００２７】
本体ハンドル２ｃの回りには、掃除機本体２に接続されたスティック４の抜き出しを可能とする解除部材３５が設けられている。図４に示すように解除部材３５は、押し釦であって、使用者の手で押し込み操作される手動操作部３５ａと、ロック部材２７に近接して対向するロック解除部３５ｂとを有している。この解除部材３５は、第１の基部２１の下部側面に設けられている。
【００２８】
解除部材３５は、スティック取付け筒２５に対して略直交する方向に沿って接離するように設けられていて、この解除部材３５とスティック取付け筒２５との間には、ばね例えばコイルばね３６が挟まれ、このコイルばね３６のばね力によってロック解除部３５ｂがロック部材２７から離れるように解除部材３５が付勢されている。
【００２９】
手動操作部３５ａに指をかけて解除部材３５を押すことによって、ロック解除部３５ｂがロック部材２７を付勢体２８に抗して押し戻し、このロック部材２７をロック孔２６から外して、ロック手段２９によるスティック４の保持を解消できる。この場合、スティック４を握っている一方の手ではない他方の手で第１の基部２１を掴むようにしながら、この他方の手で手動操作部３５ａを押し込み操作することができる。既述のようにロック手段２９がスティック４の保持を解消した状態でスティック４を引き出すことにより、第１の基部２１からスティック４を抜き外すことができる。
【００３０】
電気掃除機１の通常の使用状態では、図１に示すように掃除機本体２の上方に延びて取付けられたスティック４のグリップ４ｃを片手で握って、吸込み口体３に対して掃除機本体２及びスティック４を回動させて、図１中２点鎖線で示すように斜めに倒した姿勢で、電気掃除機１を押し引きして掃除を行う。この掃除では、掃除機本体２の上部前側（正面側）に寄せて取付けられたスティック４に対して掃除機本体２の重心が下側に位置しているので、安定性に優れ、掃除がし易い。この掃除の場合、ロック手段２９により掃除機本体２へのスティック４の取付け状態が固定されているので、スティック４が掃除機本体２から不用意に抜き外されることはない。
【００３１】
なお、スティック４が掃除機本体２の上部に取付けられた状態でも、本体ハンドル２ｃの握り部２３を図４中２点鎖線で示すように手Ｚで握持した上で、図１中２点鎖線で示すように掃除機本体２を傾けて掃除をすることが可能である。
【００３２】
使用者がスティック４の取外しを意図する場合には、既述のように手動操作部３５ａに指をかけた手でロック手段２９の解除部材３５を押し込み操作することにより、ロック手段２９によるスティック４のロックを解除した上で、スティック４を掴んで掃除機本体２のスティック接続部である本体ハンドル２ｃの第１の基部２１から抜き外すことができる。
【００３３】
こうして掃除機本体２の上部から外されたスティック４は、電気掃除機１を格納する際などに掃除機本体２の本体柱部２ｂが延びる方向に沿って、この本体柱部２ｂの側面が保持される。この保持のための手順は次の通りである。まず、図３中２点鎖線で示すように本体柱部２ｂに対して斜めにした姿勢のスティック４を矢印Ｘ方向に移動させて、このスティック４の挿入端部４ａをスティック受け台１３内に斜め上方から嵌め込む。次に、スティック受け台１３を支点として図３中矢印Ｙ方向にスティック４を回動させて、スティック４の中間部をスティックホルダ１４に嵌め込む。それによって、スティック４が図２に示されるように本体柱部２ｂの側面に沿って保持される。又、本体柱部２ｂに保持されたスティック４を取外す場合には、以上の取付け手順と逆の手順で実施できる。
【００３４】
以上のように本体柱部２ｂに沿わせてスティック４を保持できるため、電気掃除機１を格納場所に格納する際、及び格納場所から電気掃除機１を取出す際などに、吸込み口体３及びこれに接続された掃除機本体２と、スティック４とを、格納場所に別々に出し入れする手間を要しないで一体に取扱うことができるので、電気掃除機１の出し入れが容易である。又、同様の理由で掃除場所等所望場所への電気掃除機１の運搬作業についても容易に行える。
【００３５】
既述のように吸込み口体３及びこれに接続された掃除機本体２をスティック４と一緒に格納場所から取出せるので、取出した状態の電気掃除機１を、その本体ハンドル２ｃを握り図２中２点鎖線で示すように傾けても、ハンディ形電気掃除機と同様な形態で使用することが可能である。そして、この使用状態からスティック形として使用形態を切換える際には、既に付属しているスティック４を、本体柱部２ｂから外して、本体ハンドル２ｃの第１の基部２１に上方から挿入して接続すればよいので、格納場所にスティック４を取りに行く必要がない点で好ましい。
【００３６】
本体主部２ａより幅が狭い本体柱部２ｂに上下方向に沿わせてスティック４を保持させたので、電気掃除機１を正面及び背面から見た場合に本体主部２ａの幅内に、保持されたスティック４を収めることができる。更に、本体柱部２ｂの外面の中でも側面にスティック４を保持させたので、電気掃除機１を側面から見た場合に掃除機本体２の正面から裏面にわたる奥行き幅内に、保持されたスティック４を収めることができる。したがって、格納場所に電気掃除機１を格納する上で、スティック４が格納の邪魔になることを抑制できるだけではなく、格納に要するスペースが小さくて済み、コンパクトに格納できる。
【００３７】
なお、本体柱部２ｂの側面に沿って保持されるスティック４の周方向の向きが適正である場合には、グリップ４ｃの側面から突出しているコードフック３２が第２の基部２２に向くようになる。このため、格納場所への出し入れの際にコードフック３２が格納場所に在る物と干渉する恐れがなくなり、干渉した場合のようにコードフック３２が格納場所への電気掃除機１の格納の邪魔となったり、格納場所から電気掃除機１を取出す際に掃除機本体２からスティック４が外れたりする恐れがない。
【００３８】
既述のように掃除機本体２の上部から外されたスティック４を本体柱部２ｂに保持した状態でも、図４中２点鎖線で示すように本体ハンドル２ｃの握り部２３を手Ｚで握持した上で、図２中２点鎖線で示すように掃除機本体２を傾けて、ハンディ形電気掃除機と同様な使用形態で掃除をすることができる。又、図１及び図２中２点鎖線で示す使用形態において、掃除機本体２から引出された電源コード６の掃除機本体２側中間部分をコードフック３２に引掛けて支持できる。この場合、電源コード６の中間部分は、コード出入り間隙Ａからコード挿通間隙Ｂに導入されて、一対のフック部３３の内の一方に引掛けられる。このコード支持により電気掃除機１の回りで電源コード６の中間部分が、吸込み口体３の回りの被掃除面上に配置されないように持上げられるので、被掃除面に沿う吸込み口体３の移動に電源コード６が邪魔にならないようにできる。
【００３９】
図７及び図８は本発明の第２実施形態を示している。この第２実施形態は基本的には第１実施形態と同じであるので、第１実施形態と同じ部分については同一符号を付してその説明を省略し、第１実施形態とは異なる点を以下説明する。
【００４０】
第２実施形態では、スティック４のコードフック３２を利用して掃除機本体２の外面へのスティック４の保持を実現するために、フック下側位置のスティック保持部として機能するスティック受け台１３（図１参照）の上方に設けられて上側位置のスティック保持部として機能するスティックホルダ４４を、根元部４４ａ及びこれと例えば同幅のフック受け４４ｂとから形成している。
【００４１】
詳しくは、図７に示すように根元部４４ａは本体柱部２ｂの外面好ましくは側面に一体に突設され、フック受け４４ｂは根元部４４ａの先端から折れ曲がって上向きに突出されている。図８に示すようにＬ字状をなしたスティックホルダ４４の幅Ｃは、コードフック３２のコード出入り間隙Ａの最小幅よりも広く、かつ、コードフック３２のコード挿通間隙Ｂより狭く形成されている。第２実施形態では、コードフック３２のコード挿通間隙Ｂがその内側にフック受け４４ｂが挿入される隙間として使用されるので、以下、コード挿通間隙Ｂをホルダ挿通間隙Ｂと称する。又、第２実施形態では第１実施形態で説明したストッパ３１はスティック４に設けられていない。
【００４２】
本体柱部２ｂの側面に沿わせてスティック４を保持する場合には、スティック４のコードフック３２をスティックホルダ４４の真上に対向させてから、スティック４を下げる。これにより、コードフック３２のホルダ挿通間隙Ｂにスティックホルダ４４のフック受け４４ｂが上向きに挿入するとともに、スティック４の下端部（挿入先端部）がスティック受け台１３に嵌め込まれるので、スティック４がスティック受け台１３及びスティックホルダ４４と係合して本体柱部２ｂの側面に沿って保持される。なお、この逆に、スティック４を引き上げることにより、本体柱部２ｂの側面から取外すことができる。
【００４３】
本体柱部２ｂの側面に沿ってスティック４が保持された状態でのコードフック３２とスティックホルダ４４との相互関係は図８に示されている。この状態では、コードフック３２をなす一対のフック部３３の壁板部３３ａが、ホルダ挿通間隙Ｂの内側に挿入されたフック受け４４ｂに当ることが可能であるから、図８中矢印Ｄ−Ｅ方向にスティック４が外れないように保持できる。又、一対のフック部３３の曲げ片部３３ｂがフック受け４４ｂの裏面に当ることが可能であるから、図８中矢印Ｆ方向にスティック４が外れないように保持できる。これにより、掃除機本体２を格納場所などから動かす際に、スティック４に矢印Ｆ方向の力が加わっても、スティック４が掃除機本体２から外れることがない。
【００４４】
なお、一対のフック部３３が有した曲げ片部３３ｂの下端面はスティックホルダ４４の根元部４４ａの上面に当っても当らなくてもよいが、当る設計とした場合には、それによって掃除機本体２に対するスティック４の保持高さを規定できる。又、この実施形態は、スティック受け台１３に代えて他のスティックホルダ４４を設けるとともに、これに係脱可能な他のコードフック３２をスティック４に増設することによって実施することも可能であり、或いはスティック受け台１３を省略して実施することも可能である。しかし、以上のように２箇所で保持する構成は、スティック４を安定させた状態に保持できる点で好ましい。以上説明した点以外の構成は、図７及び図８に示されない構成を含めて第１実施形態と同じである。
【００４５】
したがって、この第２実施形態においても、第１実施形態と同じく本発明の課題を解決できる。これとともに、掃除中にスティック４を掃除機本体２の上部から外した場合に、この外されたスティック４を、そのコードフック３２を利用してスティックホルダ４４に引掛けて保持（この場合、スティック４がスティック受け台１３に保持されるかどうかは問わない。）できる点で優れている。更に、スティック４が保持された状態では、コードフック３２とスティックホルダ４４とによるスティック４の位置規制で、コードフック３２が掃除機本体２側を向くので、電気掃除機１の出し入れ等の際にコードフック３２が邪魔にならない点でも好ましい。
【００４６】
図９及び図１０は本発明の第３実施形態を示している。この第３実施形態は基本的には第１実施形態と同じであるので、第１実施形態と同じ部分については同一符号を付してその説明を省略し、第１実施形態とは異なる点を以下説明する。
【００４７】
第３実施形態では、スティック４のコードフック３２を利用して掃除機本体２の外面へのスティック４の保持を実現するために、フック下側位置のスティック保持部として機能するスティック受け台１３（図１参照）の上方に設けられて上側位置のスティック保持部として機能するスティックホルダ５４を、根元部５４ａ、フック受け５４ｂ、一対の張出し部５４ｃとから形成している。
【００４８】
詳しくは、根元部５４ａは本体柱部２ｂの外面好ましくは側面に上下方向（掃除機本体２の長手方向）に延びるリブ状をなして一体に突設されている。この根元部５４ａの幅は、コードフック３２のコード出入り間隙Ａより狭い。根元部５４ａより幅が広いフック受け５４ｂは、根元部５４ａの先端に一体に設けられていて、その裏側に根元部５４ａの両側に位置する引掛け溝Ｉを形成している。したがって、図１０に示すように根元部５４ａとフック受け５４ｂとは平面視略Ｔ字状をなしている。このフック受け５４ｂの幅Ｃは、コードフック３２のコード出入り間隙Ａの最小幅よりも広く、かつ、コードフック３２のコード挿通間隙Ｂより狭く形成されている。第３実施形態では、コード挿通間隙Ｂがその内側にフック受け５４ｂが挿入される隙間として使用されるので、以下、コード挿通間隙Ｂをホルダ挿通間隙Ｂと称する。一対の張出し部５４ｃはフック受け５４ｂの下端部に側方に突出していて、これら張出し部５４ｃの先端間寸法Ｇは、一対のフック部３３の最大離間寸法Ｈより大きい。したがって、図９に示すようにフック受け５４ｂと一対の張出し部５４ｃとは正面視においてＴ字を倒立させた形状をなしている。なお、第３実施形態では第１実施形態で説明したストッパ３１はスティック４に設けられていない。
【００４９】
本体柱部２ｂの側面にスティック４を沿わせて保持する場合には、スティック４のコードフック３２をスティックホルダ５４の真上に対向させてから、スティック４を下げる。これにより、コードフック３２のホルダ挿通間隙Ｂにスティックホルダ５４のフック受け５４ｂが上向きに挿入するとともに、一対のフック部３３の曲げ片部３３ｂが引掛け溝Ｉに挿入される。これとともに、スティック４の下端部（挿入先端部）がスティック受け台１３に嵌め込まれる。したがって、スティック４がスティック受け台１３及びスティックホルダ５４と係合して本体柱部２ｂの側面に沿って保持される。なお、この逆に、スティック４を引き上げることにより、本体柱部２ｂの側面から取外すことができる。
【００５０】
本体柱部２ｂの側面に沿ってスティック４が保持された状態でのコードフック３２とスティックホルダ５４との相互関係は図１０に示されている。この状態では、コードフック３２をなす一対のフック部３３の壁板部３３ａが、ホルダ挿通間隙Ｂの内側に挿入されたフック受け５４ｂに当ることが可能であるから、図１０中矢印Ｄ−Ｅ方向にスティック４が外れないように保持できる。又、一対のフック部３３の曲げ片部３３ｂがフック受け５４ｂの裏面に当ることが可能であるから、図１０中矢印Ｆ方向にスティック４が外れないように保持できる。これにより、掃除機本体２を格納場所などから動かす際に、スティック４に矢印Ｆ方向の力が加わっても、スティック４が掃除機本体２から外れることがない。
【００５１】
なお、一対のフック部３３が有した壁板部３３ａの下端面はスティックホルダ５４の張出し部５４ｃの上面に当っても当らなくてもよいが、当る設計とした場合には、それによって掃除機本体２に対するスティック４の保持高さを規定できる。又、この実施形態は、スティック受け台１３に代えて他のスティックホルダ５４を設けるとともに、これに係脱可能な他のコードフック３２をスティック４に増設することによって実施することも可能であり、或いはスティック受け台１３を省略して実施することも可能である。しかし、以上のように２箇所で保持する構成は、スティック４を安定させた状態に保持できる点で好ましい。以上説明した点以外の構成は、図９及び図１０に示されない構成を含めて第１実施形態と同じである。
【００５２】
したがって、この第３実施形態においても、第１実施形態と同じく本発明の課題を解決できる。これとともに、掃除中にスティック４を掃除機本体２の上部から外した場合に、この外されたスティック４を、そのコードフック３２を利用してスティックホルダ５４に引掛けて保持（この場合、スティック４がスティック受け台１３に保持されるかどうかは問わない。）できる点で優れている。更に、スティック４が保持された状態では、コードフック３２とスティックホルダ５４とによるスティック４の位置規制で、コードフック３２が掃除機本体２側を向くので、電気掃除機１の出し入れ等の際にコードフック３２が邪魔にならない点でも好ましい。
【００５３】
図１１及び図１２は本発明の第４実施形態を示している。この第４実施形態は基本的には第１実施形態と同じであるので、第１実施形態と同じ部分については同一符号を付してその説明を省略し、第１実施形態とは異なる点を以下説明する。
【００５４】
第４実施形態でも、スティック４のコードフック３２を利用して掃除機本体（図示しない）の外面へのスティック４の保持を実現している。このために、コードフック３２はグリップ４ｃに一体に形成された基部３３ｃを有している。基部３３ｃの先端には平面視略Ｌ字状をなした一対のフック部３３の壁板部３３ａが一体に連続し、基部３３ｃの裏面とグリップ４ｃの表面との間には引掛け溝Ｊが形成されている。
【００５５】
更に、前記保持を実現するために、下側位置のスティック保持部として機能するスティック受け台１３（図１参照）の上方に、上側位置のスティック保持部として機能するスティックホルダ６１を本体柱部２ｂに設けている。このスティックホルダ６１は、嵌合穴６２、一対のフック受け壁６３、及び下部コード挿通開口６４を有している。
【００５６】
嵌合穴６２は、本体柱部２ｂの上面に開口して設けられ、その上方からコードフック３２が挿脱自在に嵌め込まれる大きさに作られている。一対のフック受け壁６３は、相対向して、嵌合穴６２の上部側面の一部を閉じるように設けられている。これらフック受け壁６３相互間には、本体柱部２ｂの外面好ましくは側面に電源コード６の通過を許すコード出入り間隙Ｋが形成されている。下部コード挿通開口６４は、一対のフック受け壁６３の下側に連なって本体柱部２ｂの側面に開放して設けられていて、その上側のコード出入り間隙Ｋ及び嵌合穴６２の下部と夫々と連通している。嵌合穴６２の底面は好ましい例として電源コードの曲げ負荷を抑制するために傾斜されており、その傾斜下端は下部コード挿通開口６４の下縁に連続している。なお、第４実施形態では第１実施形態で説明したストッパ３１はスティック４に設けられていない。
【００５７】
本体柱部２ｂの側面に沿わせてスティック４を保持する場合には、スティック４のコードフック３２をスティックホルダ６１の嵌合穴６２の真上に対向させてから、スティック４を下げる。これにより、引掛け溝Ｊにスティックホルダ６１のフック受け壁６３が上向きに挿入するとともに、嵌合穴６２にコードフック３２が嵌め込まれて、このコードフック３２がフック受け壁６３に引掛けられる。この一方で、スティック４の下端部（挿入先端部）がスティック受け台１３に嵌め込まれる。したがって、スティック４がスティック受け台１３及びスティックホルダ６１と係合して本体柱部２ｂの側面に沿って保持される。なお、この逆に、スティック４を引き上げることにより、本体柱部２ｂの側面から取外すことができる。
【００５８】
本体柱部２ｂの側面に沿ってスティック４が保持された状態でのコードフック３２とスティックホルダ６１との相互関係は図１２に示されている。この状態では、コードフック３２が嵌合穴６２に嵌り込んでいるので、図１２中矢印Ｄ−Ｅ方向及び図１２中矢印Ｆ方向にスティック４が外れないように保持できる。これにより、掃除機本体２を格納場所などから動かす際に、スティック４に矢印Ｆ方向の力が加わっても、スティック４が掃除機本体２から外れることがない。
【００５９】
スティックホルダ６１はコード出入り間隙Ｋ及びこの下に連通した下部コード挿通開口６４を有しているから、コードフック３２のコード挿通間隙Ｂに電源コード６が通されている場合には、この電源コード６をコード出入り間隙Ｋ及び下部コード挿通開口６４に通しながら嵌合穴６２にコードフック３２を嵌め込むことができる。すなわち、コードフック３２に電源コード６を引掛けたままで、コードフック３２をスティックホルダ６１に引掛けて保持できる。
【００６０】
又、この実施形態は、スティック受け台１３に代えて他のスティックホルダ６１を設けるとともに、これに係脱可能な他のコードフック３２をスティック４に増設することによって実施することも可能であり、或いはスティック受け台１３を省略して実施することも可能である。しかし、以上のように２箇所で保持する構成は、スティック４を安定させた状態に保持できる点で好ましい。以上説明した点以外の構成は、図１１及び図１２に示されない構成を含めて第１実施形態と同じである。
【００６１】
したがって、この第４実施形態においても、第１実施形態と同じく本発明の課題を解決できる。これとともに、掃除中にスティック４を掃除機本体２の上部から外した場合に、この外されたスティック４のコードフック３２を利用してスティックホルダ６１にスティック４を引掛けて保持（この場合、スティック４がスティック受け台１３に保持されるかどうかは問わない。）できる点で優れている。更に、スティック４が保持された状態では、コードフック３２とスティックホルダ６１とによるスティック４の位置規制で、コードフック３２が掃除機本体２側を向くので、電気掃除機１の出し入れ等の際にコードフック３２が邪魔にならない点でも好ましい。
【図面の簡単な説明】
【００６２】
【図１】本発明の第１実施形態に係る電気掃除機をスティックが使用可能な状態で側方から見て示す斜視図。
【図２】第１実施形態に係る電気掃除機をその掃除機本体の側面に沿ってスティックが保持された状態で側方から見て示す斜視図。
【図３】図１の電気掃除機を背面側から見て示す斜視図。
【図４】図１の電気掃除機の本体ハンドル回りを示す断面図。
【図５】図１の電気掃除機が備えるスティックを示す背面図。
【図６】図５のスティックが有するコードフックを拡大して示す斜視図。
【図７】本発明の第２実施形態に係る電気掃除機が備えるコードフックとスティックホルダとの関係を示す斜視図。
【図８】図７のコードフックがテックホルダに係合された状態を示す断面図。
【図９】本発明の第３実施形態に係る電気掃除機が備えるコードフックとスティックホルダとの関係を示す斜視図。
【図１０】図９のコードフックがスティックホルダに係合された状態を示す断面図。
【図１１】本発明の第４実施形態に係る電気掃除機が備えるコードフックとスティックホルダとの関係を示す斜視図。
【図１２】図１１のコードフックがスティックホルダに係合された状態を示す断面図。
【符号の説明】
【００６３】
１…電気掃除機、２…掃除機本体、２ａ…本体主部、２ｂ…本体柱部、２ｃ…本体ハンドル、３…吸込み口体、４…スティック、１３…スティック受け台（スティック保持部）、１５…吸込みヘッド、１７…接続管、２１…第１の基部（スティック接続部）、３２…コードフック、３３…フック部、Ａ…コード出入り間隙、Ｂ…コード挿通間隙（ホルダ挿通間隙）、４４…スティックホルダ、４４ａ…根元部、４４ｂ…フック受け、５４…スティックホルダ、５４ａ…根元部、５４ｂ…フック受け、３３ｃ…フック部の基部、Ｊ…引掛け溝、６１…スティックホルダ、６２…嵌合穴、６３…フック受け壁、６４…下部コード挿通開口、Ｋ…コード挿通間隙
【図１】
2005211275.tif 000003
【図２】
2005211275.tif 000004
【図３】
2005211275.tif 000005
【図４】
2005211275.tif 000006
【図５】
2005211275.tif 000007
【図６】
2005211275.tif 000008
【図７】
2005211275.tif 000009
【図８】
2005211275.tif 000010
【図９】
2005211275.tif 000011
【図１０】
2005211275.tif 000012
【図１１】
2005211275.tif 000013
【図１２】
2005211275.tif 000014